(57)【特許請求の範囲】
【請求項１】
左右の浴槽壁の上縁部にそれぞれ、前後間隔を存して複数個設けられた縦取付孔と、少なくとも２本の垂下部が該縦取付孔に嵌挿，係止可能な手摺と、を有しており、
該縦取付孔は、左右の両該浴槽壁のものが左右で対向位置すると共に、その左右対向間隔と該前後間隔とが、同寸法に設定されており、
該手摺は、該垂下部が、左右いずれかの該浴槽壁の該縦取付孔間に嵌挿，係止されるか、左右の両該浴槽壁の対向位置する該縦取付孔間に嵌挿，係止されるか、自在に選択使用可能であり、
更に、渡し板が使用可能となっており、該渡し板は、左右いずれか一方の該浴槽壁の該縦取付孔間に該垂下部が嵌挿，係止される該手摺と共に使用されると共に、左右の両該浴槽壁間に掛け渡されており、
該渡し板の一端部は、左右の該浴槽壁の上縁部に対応した形状よりなり、該上縁部に外側から嵌合可能であり、該渡し板の他端部は、形成された専用穴にて、該縦取付孔間に嵌挿，係止される該手摺の垂下部に、嵌合可能となっており、
該渡し板の他端部の専用穴は、貫通穴よりなると共に、該手摺の垂下部の下部に対応した径よりなり、該手摺の垂下部の下部を上下方向に貫挿脱可能であり、貫挿状態では、該手摺の垂下部の下部を外嵌により上述したように嵌合可能となっており、
該手摺の垂下部の下部は、該渡し板の他端部の専用穴を貫挿して、より下位の該浴槽壁の上縁部の縦取付孔に、嵌挿，係止可能となっており、
もって該渡し板が、左右の両該浴槽壁間に掛け渡されると共に、不動かつ確実に位置決め係止，保持，配設されること、を特徴とする介護装置。
【発明の詳細な説明】
【技術分野】
【０００１】
本発明は、介護装置に関する。すなわち、浴槽に配設されて、高齢者や身体障害者の入浴を補助すべく使用される、介護装置に関するものである。
【背景技術】
【０００２】
《従来技術》
高齢者や身体障害者の入浴を容易化するため、その入浴を補助すべく使用される手摺等の介護装置が、従来より種々開発，使用されている。
すなわち、高齢者や身体障害者を擁する家庭や介護施設では、浴室の浴槽や洗い場に、例えば手摺，バー，握り部，保持具等々の介護装置が、各種の形状，方向，位置で配設されていることが多い。
そして従来、この種の介護装置は、浴槽や洗い場において、一定の形状で、定まった方向に、固定した位置で、使用すべく取付け固定，係止されていた。
【０００３】
《先行技術文献情報》
このような介護装置の従来例としては、例えば、次の特許文献１に示されたものが挙げられる。
【特許文献１】特開平８−２７５８９４号公報
【特許文献２】特開２００３−３０４９８１号公報
【発明の開示】
【発明が解決しようとする課題】
【０００４】
ところで、この種従来例の介護装置については、次の問題が指摘されていた。
《第１の問題点》
第１に、健常者等が配設された介護装置を使用しないで入浴する場合、邪魔になり、違和感もある、という問題が指摘されていた。
すなわち、手摺等のこの種従来例の介護装置は、浴槽や洗い場に固定的に配設されていた。そこで、その浴槽に入浴する健常者や、身体機能低下度・障害度・介護度の低い人、例えば家族や介護者にとっては、使用しない介護装置が邪魔になり、入浴行動を阻害することもあった。又、通常の浴槽での入浴に比し、視覚的な違和感も指摘されていた。
【０００５】
《第２の問題点》
第２に、入浴する高齢者や身体障害者は、身体機能低下度・障害度・介護度が高低様々であるが、従来の介護装置ではこれに十分対応できない、という問題が指摘されていた。
すなわち、手摺等のこの種従来例の介護装置は、一定の形状で、定まった方向に、固定した位置で、浴槽等に固定的に配設されていた。これに対し、この介護装置を使用して入浴する高齢者や身体障害者の身体機能低下度・障害度・介護度は、各個人毎に高低様々であり、その態様も様々である。例え同一個人の場合でも、高齢者の場合は年月の経過と共に、加齢による身体機能の低下が進行する。
そこで、安全かつ容易な入浴のためには、各人の身体状況，障害程度に対応した形状，方向，位置の介護装置を、使い分ける必要が生じるが、従来の固定的な介護装置では対応不能であった。もって、高齢者や身体障害者の安全かつ容易な入浴について、不安が指摘されていた。
【０００６】
《第３の問題点》
第３に、そこで上記第１の問題点に鑑み、健常者等用に別途、介護装置が配設されていない通常の浴槽を準備，設置したり、又、上記第２の問題点に鑑み、高齢者や身体障害者の身体機能低下度・障害度・介護度毎に、対応した介護装置が付設された浴槽を、複数台準備，設置したりすることも行われていた。
すなわち、高齢者や身体障害者を擁する家庭や介護施設では、介護装置付の浴槽の外に、通常の浴槽を別途設置，併用することも行われていた。又、各種の身体状況，障害程度にマッチした異なった形状，方向，位置の介護装置がそれぞれ固定配設された浴槽を、複数台設置，併用することも行われていた。
しかしながら、これでは経済的負担が大きく、その分だけ浴室スペースも取る、という問題が指摘されていた。
【０００７】
《本発明について》
本発明の介護装置は、このような実情に鑑み、上記従来例の課題を解決すべく、開発されたものである。
そして本発明は、第１に、健常者等の入浴の邪魔にならず、第２に、高齢者や身体障害者各人の身体状況，障害程度に対応可能であり、第３に、もってこれらにより、１台の浴槽が幅広く使用でき、第４に、しかも浴槽への配設作業も簡単，確実な、介護装置を提案することを目的とする。
【課題を解決するための手段】
【０００８】
《請求項について》
このような課題を解決する本発明の技術的手段は、次のとおりである。
本発明の介護装置は、左右の浴槽壁の上縁部にそれぞれ、前後間隔を存して複数個設けられた縦取付孔と、少なくとも２本の垂下部が該縦取付孔に嵌挿，係止可能な手摺と、を有している。
該縦取付孔は、左右の両該浴槽壁のものが左右で対向位置すると共に、その左右対向間隔と該前後間隔とが、同寸法に設定されている。
そして該手摺は、該垂下部が、左右いずれかの該浴槽壁の該縦取付孔間に嵌挿，係止されるか、左右の両該浴槽壁の対向位置する該縦取付孔間に嵌挿，係止されるか、自在に選択使用可能である。
そして更に、渡し板が使用可能となっている。該渡し板は、左右いずれか一方の該浴槽壁の該縦取付孔間に該垂下部が嵌挿，係止される該手摺と共に使用されると共に、左右の両該浴槽壁間に掛け渡されている。
該渡し板の一端部は、左右の該浴槽壁の上縁部に対応した形状よりなり、該上縁部に外側から嵌合可能となっている。該渡し板の他端部は、形成された専用穴にて、該縦取付孔間に嵌挿，係止される該手摺の垂下部に、嵌合可能となっている。
該渡し板の他端部の専用穴は、貫通穴よりなると共に、該手摺の垂下部の下部に対応した径よりなり、該手摺の垂下部の下部を上下方向に貫挿脱可能である。そして、貫挿状態では、該手摺の垂下部の下部を、外嵌により上述したように嵌合可能となっている。
該手摺の垂下部の下部は、該渡し板の他端部の専用穴を貫挿して、より下位の該浴槽壁の上縁部の縦取付孔に、嵌挿，係止可能となっている。
もって該渡し板が、左右の両該浴槽壁間に掛け渡されると共に、不動かつ確実に位置決め係止，保持，配設されること、を特徴とする。
【０００９】
《作用等》
本発明は、このような手段よりなるので、次のようになる。
（１）この介護装置では、縦取付孔が、左右の浴槽壁の上縁部に前後複数個設けられており、手摺の垂下部が嵌挿，係止される。縦取付孔は、浴槽を介し左右で対向位置すると共に、左右対向間隔と前後間隔が同寸法となっている。
（２）もって手摺は、垂下部を、前後の縦取付孔間に嵌挿，係止させるか、左右の縦取付孔間に嵌挿，係止させるか、自在に選択可能であり、前者の場合は浴槽壁に沿って位置し、後者の場合は浴槽壁間にクロスして位置する。
（３）そこで高齢者や身体障害者は、このように配設された手摺に捉まることにより、浴槽内外でのしゃがみ込み，立ち上がり，跨ぎ込み，跨ぎ出、等々の入浴動作が容易化される。
（４）そして、この介護装置は、渡し板が使用可能である。渡し板は、一端部が、左右一方の浴槽壁の上縁部に嵌合され、他端部が、他方の浴槽壁の手摺の垂下部に専用穴にて嵌合され、もって左右の浴槽壁間に掛け渡され，係止，保持される。
（５）そこで高齢者や身体障害者は、このように配設された渡し板に、途中で腰掛けることにより、入浴動作が一段と容易化される。
【００１０】
（６）さてそこで、本発明の介護装置によると、次のようになる。第１に、この介護装置の手摺は、浴槽壁の縦取付孔に垂下部を嵌挿，係止することにより、渡し板は、浴槽壁間に掛け渡して係止，保持することにより、浴槽に配設される。
そこで、健常者等がその浴槽に入浴する場合は、手摺や渡し板を取外すことにより、これらが健常者等の入浴の邪魔となったり、違和感を与えることは回避される。
第２に、高齢者や身体障害者は、各人毎に障害度・介護度が高低様々であるが、この介護装置は、これに対応した形状，方向，位置にて、使い分け可能である。
すなわち、各人の身体状況，障害程度に合わせて、ａ．手摺は、各種形状の中から最適なものを選択使用可能である。ｂ．手摺を、浴槽の左右浴槽壁に沿って、位置させることも可能であり、ｃ．クロスした方向に、位置させることも可能である。ｄ．そして渡し板の併用も可能である。
第３に、もってこの介護装置付の浴槽は、１台で、健常者等から各種の高齢者や身体障害者まで、幅広く使用可能である。
第４に、この介護装置は、浴槽へ配設が簡単，確実である。すなわち手摺は、浴槽壁の縦取付孔に嵌挿，係止することにより、渡し板は、浴槽壁間に掛け渡し，係止，保持することにより、簡単な設置作業にて不動に配設される。
（７）さてそこで、本発明の介護装置は、次の効果を発揮する。
【発明の効果】
【００１１】
《第１の効果》
第１に、健常者等の入浴の邪魔にならない。すなわち、本発明の介護装置の手摺や渡し板は、健常者や障害度・介護度の低い人が入浴する場合は、適宜取外し可能である。
そこで、例えば家族や介護者が入浴する場合に、前述したこの種従来例のように、固定的に配設された使用しない介護装置が、邪魔となり入浴行動を阻害したり、目ざわりとなり違和感を感じたりすることは回避され、ほぼ通常の浴槽として入浴可能となる。
【００１２】
《第２の効果》
第２に、高齢者や身体障害者各人の身体状況，障害程度に、対応可能である。すなわち、介護装置を使用して入浴する高齢者や身体障害者は、各人毎に障害度・介護度が様々であるが、本発明の介護装置の手摺や渡し板は、これに対応した形状，方向，位置にて、使い分け可能である。
そこで、固定的に配設された介護装置が用いられていた前述したこの種従来例のように、高齢者や身体障害者の安全かつ容易な入浴に、不安が生じることはなく、各人毎に異なった身体状況，障害程度に自在かつ個別に対応可能となる。
【００１３】
《第３の効果》
第３に、もって本発明の介護装置付の浴槽、つまり手摺や渡し板付の浴槽は、１台で、健常者等から各種の高齢者や身体障害者まで、幅広く使用可能である。
そこで、前述したこの種従来例のように、高齢者や身体障害者を擁する家庭や介護施設において、介護装置付の浴槽とは別に通常の浴槽を設置したり、高齢者や身体障害者毎の異なった身体状況，障害程度に対応すべく、それぞれ専用の介護装置付の浴槽を複数台設置したりする必要もなくなる。
もって、その分だけ介護の経済的負担が軽減されると共に、浴室スペースも取らなくなる。
【００１４】
《第４の効果》
第４に、しかも浴槽への配設作業も、簡単，確実である。すなわち、本発明の介護装置の手摺は、浴槽壁への嵌挿，係止により配設され、渡し板は、浴槽壁間の掛け渡し，係止，保持により配設される。渡し板は、左右の両浴槽壁間に掛け渡されると共に、不動かつ確実に位置決め係止，保持，配設される。
このように、配設作業が簡単容易で作業性に優れると共に、不動かつ確実に配設され安全面にも優れている。
このように、この種従来例に存した課題がすべて解決される等、本発明の発揮する効果は、顕著にして大なるものがある。
【発明を実施するための最良の形態】
【００１５】
《図面について》
以下、本発明の入浴装置を、図面に示した発明を実施するための最良の形態に基づいて、詳細に説明する。図１，図２，図３，図４，図５，図６は、本発明を実施するための最良の形態の説明に供する。
そして、図１は第１例を示し、図２は渡し板が取外された第２例を示し、図３は第３例を示す。そしてそれぞれ、（１）図は平面図、（２）図は側面図、（３）図は正面図である。図４の（１）図，（２）図，（３）図は、手摺の各種例の正面図であり、（４）図は、浴槽の側断面図である。
図５，図６は、入浴装置を設けた例を示し、図５の（１）図は、浴槽外側，降下位置での側面図、（２）図は、浴槽外側，上昇位置での側面図である。図６の（１）図は、浴槽外側，浴槽内側位置での平面図、（２）図は、浴槽内側，降下位置での入浴時の正面図である。
【００１６】
《介護装置１の概要について》
この介護装置１は、浴室２の浴槽３に配設され、もって高齢者や身体障害者Ａの入浴を、補助して容易化すべく使用される。
そして、この介護装置１は、図１，図２，図３に示したように、縦取付孔４と手摺５とを、必須的に備えている。すなわち、左右の浴槽壁６の上縁部にそれぞれ、前後間隔Ｂを存して複数個設けられた縦取付孔４と、垂下設された少なくとも２本の垂下部７が、縦取付孔４に嵌挿，係止可能な手摺５と、を有している。
そして縦取付孔４は、左右の両浴槽壁６に設けられたものが、浴槽３内を介して左右で対向位置すると共に、その左右対向間隔Ｃと前後間隔Ｂとが、同寸法に設定されている。
もって手摺５は、図１のように、その垂下部７が、左右いずれかの浴槽壁６の縦取付孔４間に嵌挿，係止されるか、又は、図２のように、その垂下部７が、左右の両浴槽壁６の対向位置する縦取付孔４間に嵌挿，係止されるか、更に、図３のようにその両方であるか等、自在に選択使用可能となっている。
そして、図１，図３に示したように、この介護装置１では、更に、渡し板８が使用されている。
以下、このような介装装置１について、更に詳述する。
【００１７】
《縦取付孔４について》
まず、図１，図２，図３，図４の（４）図等を参照して、この介護装置１の縦取付孔４について詳述する。
この縦取付孔４は、浴槽３の左右の浴槽壁６について、それぞれ、その上縁部に縦に穿設されている。そして、上面が解放された中空柱状の固定孔よりなり、図示例では円柱状をなすが、円錐状，多角柱状，多角錐状等の中空形状も可能である。
そして縦取付孔４は、左右の浴槽壁６について、それぞれ、相互間に一定の前後間隔Ｂを存しつつ複数個ずつ設けられており、図１，図２の例では、２個ずつ計４個設けられ、図３の例では、３個ずつ計６個設けられている。
【００１８】
又、この縦取付孔４については、上述により、左側の浴槽壁６に一定の前後間隔Ｂで設けられた縦取付孔４と、右側の浴槽壁６に一定の前後間隔Ｂで設けられた縦取付孔４とが、浴槽３内を介し、対向位置している。
つまり、図１，図２の例では、左右の浴槽壁６の２個ずつの縦取付孔４が、それぞれ左右相互間で対向位置している。又、図３の例では、左右の浴槽壁６の３個ずつの縦取付孔４が、それぞれ左右相互間で対向位置している。
そして、このように対向位置する左右の縦取付孔４相互間の左右対向間隔Ｃと、左右の浴槽壁６における縦取付孔４相互間の前後間隔Ｂとが、同寸法に設定されている。つまり、前後，左右の各縦取付孔４は、相互間の寸法距離関係が等しくなるように、間隔設定されている。
縦取付孔４は、このようになっている。
【００１９】
《手摺５について》
次に、図１，図２，図３，図４の（１），（２），（３）図等を参照して、この介護装置１の手摺５について説明する。
この手摺５は、本体部９と垂下部７とからなる。まず、手摺５の本体部９は、使用する高齢者や身体障害者Ａの身体状況，障害程度に合わせて、例えば図４の（１）図，（２）図，（３）図に示したように、略横軸状の水平杆部分を中心としつつ、直線状，アール付，ループ付等々、各種形状のものが準備される。
手摺５の垂下部７は、略縦軸状をなし、本体部９下に一体的に複数本が垂下設されており、複数本相互間は一定間隔Ｄに設定されている。そして、この一定間隔Ｄは、前述した左右対向間隔Ｃや前後間隔Ｂと同寸法に、寸法距離関係が等しく設定されている。
なお、図１，図２，図３では、直線状の水平杆部分からなる本体部９と、２本の垂下部７とからなる手摺５（図４の（２）図に示したもの）が、用いられている。
【００２０】
そして手摺５は、垂下部７の下部が、浴槽３側の縦取付孔４に対応した径よりなり、縦取付孔４に対し嵌挿，係止可能となっている。
すなわち、手摺５側の少なくとも２本の垂下部７は、その下部が、浴槽壁６上縁部に形成された少なくとも２個の縦取付孔４に対し、上下方向に挿脱移動可能であると共に、挿入により嵌入，係止され、もって上下方向以外の荷重を受けることが可能となっている。なお、垂下部７と縦取付孔４との断面形状が共通に形成された場合、垂下部７は縦取付孔４に密嵌挿される。
そして、手摺５の垂下部７は、次の２つの位置パターンで、浴槽３側の縦取付孔４に対し、嵌挿，係止可能となっている。
まず、図１に示したパターンでは、手摺５の垂下部７は、左右いずれか一方の浴槽壁６の前後の縦取付孔４間に、嵌挿，係止され、もって手摺５の本体部９が、その浴槽壁６の上縁部上に位置する。これに対し、図２に示したパターンでは、手摺５の垂下部７は、左右の浴槽壁６間で対向位置する左右の縦取付孔４間に、嵌挿，係止され、もって手摺５の本体部９が、左右の浴槽壁６間の浴槽３上をクロスし跨いで位置する。
手摺５は、このような２つの位置パターンを自在に選択可能であり、必要に応じ自由に、浴槽３に対する位置を変更可能である。なお、図３に示したように、２本の手摺５を同時に用い、この両パターンを共に採用することも可能である。
手摺５は、このようになっている。
【００２１】
《渡し板８について》
次に、図１，図３を参照して、渡し板８について説明する。この介護装置１では、渡し板８が使用されている。
まず、この渡し板８は、左右いずれか一方の浴槽壁６の前後の縦取付孔４間に、垂下部７が嵌挿，係止される手摺５と共に、使用される。そして、左右の浴槽壁６間に掛け渡されて、係止，保持される。
渡し板８の一端部１１は、左右の浴槽壁６の上縁部に対応した形状よりなり、もって浴槽壁６上縁部に嵌合可能である。渡し板８の他端部１２は、形成された専用穴１０にて、前後の縦取付孔４間に嵌挿，係止される手摺５の垂下部７の１本に、嵌合可能となっている。
【００２２】
このような渡し板８について、更に詳述する。渡し板８は、長方形の平板ボード状をなし、その長辺の長さが、浴槽３の左右の浴槽壁６の上縁部間に掛け渡されるに足る寸法よりなる。
そして渡し板８は、まず、次の手摺５と共に使用される。すなわち、図２のパターンではなく、図１や図３中のパターンの手摺５と共に使用され、この手摺５の垂下部７は、左右いずれか一方の浴槽壁６の前後の縦取付孔４間に、嵌挿，係止される。
もって渡し板８は、左右の浴槽壁６間に掛け渡されると共に、次のように、左右の浴槽壁６間に係止，保持される。
まず、渡し板８の一端部１１は、浴槽壁６の上縁部に嵌合可能な対応形状を備えている。すなわち一端部１１は、浴槽壁６の上縁部の縦断面形状について、外嵌可能な垂下形状を有しており、図１の（２）図や図３の（２）図に示したように、外側から部分的に嵌合される形状か、又は図示例によらず、外側から全体的に密嵌合される形状よりなる。
又、渡し板８の他端部１２には、専用穴１０が形成されており、この専用穴１０は、貫通穴よりなっている。そして専用穴１０は、手摺５の垂下部７の下部に対応した径よりなり、１本の垂下部７の下部を、上下方向に貫挿脱可能であると共に、貫挿状態では外嵌により嵌合可能となっている。
【００２３】
そこで、渡し板８は、次のように掛け渡される。まず、渡し板８の一端部１１を、左右の一方側の浴槽壁６の上縁部に載せて嵌合させる。
これと共に、渡し板８の他端部１２を、浴槽壁６の左右の他方側の上縁部に載せて、その専用穴１０を上縁部の縦取付孔４に、上下位置合わせする。それから、この他方側の上縁部上に手摺５が配され、その１本の垂下部７の下部が、渡し板８他端部１２の専用穴１０を貫挿されて、より下位の縦取付孔４に嵌挿，係止される。
このように渡し板８は、一端部１１が、浴槽壁６の上縁部に嵌合されると共に、他端部１２の専用穴１０が、手摺５の垂下部７に嵌合されることにより、係止，保持される。つまり渡し板８は、左右の浴槽壁６上に掛け渡されると共に、不動に位置決め係止，保持される。
渡し板８は、このようになっている。
【００２４】
《入浴装置１３について》
ここで、図５，図６に示した入浴装置１３について、説明しておく。この入浴装置１３は、上述した手摺５や渡し板８等の介護装置１と共に（その図示は省略）、又は図示のように、これらの介護装置１を取外した状態で、入浴装置１３が配設されている。
この入浴装置１３により、自力入浴が不可能な程度に身体状況，障害程度が低下した高齢者や身体障害者Ａの入浴も、可能となる。
すなわち、この入浴装置１３は浴槽３に配設され、もって高齢者や身体障害者Ａを、浴槽３の内外で移動させて入浴させるために使用され、マスト部１４，アーム部１５，椅子部１６，ケース１７等を備えている。
【００２５】
このような入浴装置１３について、更に詳述する。入浴装置１３は、浴槽３に隣接立設され上下多段の入れ子式よりなり、昇降動可能なマスト部１４と、マスト部１４の上部に取付けられ水平回動可能なアーム部１５と、アーム部１５に取付けられた椅子部１６と、収縮，降下状態で椅子部１６が取外されたマスト部１４を収納可能なケース１７と、を有している。
そして入浴装置１３は、次のように使用される。使用に際しては、まず、アーム部１５が外側に水平回動され、もって上昇位置の椅子部１６が、浴槽３外側位置へと旋回される。それからマスト部１４が収縮され、もって図５の（１）図に示したように、椅子部１６が降下位置に降下する。
そして、高齢者や身体障害者Ａが椅子部１６に着座した後、マスト部１４が伸長され、もって図５の（２）図に示したように、椅子部１６が上昇位置に上昇する。
それから、高齢者や身体障害者Ａが着座した椅子部１６は、図６の（１）図に示したように、アーム部１５が内側に水平回動されて浴槽３内側位置へと旋回された後、マスト部１４が収縮されることにより、図６の（２）図に示したように、浴槽３内の降下位置に降下する。
そこで、入浴者である高齢者や身体障害者Ａは、椅子部１６に着座したまま入浴する。入浴後は、高齢者や身体障害者Ａが着座した椅子部１６は、上述と逆のステップを辿り、元の浴槽３外側位置の降下位置に戻される。
なお各図中１８は、浴槽３の前後の浴槽壁であり、この前後の浴槽壁１８は、左右の浴槽壁６とは直交する位置関係にある。
入浴装置１３は、このようになっている。
【００２６】
《作用等について》
本発明の介護装置１は、以上説明したように構成されている。そこで、以下のようになる。
（１）この介護装置１は、手摺５と縦取付孔４とを備えている。縦取付孔４は、左右の浴槽壁６の上縁部に、前後間隔Ｂを存しつつ複数個設けられており、手摺５の垂下部７が、この縦取付孔４に嵌挿，係止可能となっている。
そして縦取付孔４は、浴槽３を介し左右で対向位置すると共に、この左右対向間隔Ｃと前後間隔Ｂとが、同寸法となっている。
【００２７】
（２）もって手摺５は、垂下部７を、浴槽壁６の前後の縦取付孔４間に嵌挿，係止させるか（図１を参照）、又は、左右の縦取付孔４間に嵌挿，係止させるか（図２を参照）、自在に選択使用可能である。更に、その両方も可能である（図３を参照）。
前者の場合（図１を参照）、手摺５は、浴槽３の左右いずれかの浴槽壁６に沿って、（長手方向に）位置する。後者の場合（図２を参照）、手摺５は、浴槽３の左右浴槽壁６間に、（長手方向に直角に）クロスして位置する。
【００２８】
（３）そこで、高齢者や身体障害者Ａは、このように浴槽３に配設された介護装置１の手摺５を、補助的に使用することにより、容易に入浴可能となる。
すなわち、手摺５に捉まることにより、浴室２内でのしゃがみ込み、浴室２内での立ち上がり、浴槽３内への跨ぎ込み、浴槽３外への跨ぎ出、浴槽３内でのしゃがみ込み、浴槽３内での立ち上がり、等々の各入浴動作が容易化される（図１の（２）図，（３）図、図２の（２）図，（３）図、図３の（２）図，（３）図等を参照）。
【００２９】
（４）そして、この介護装置１は、渡し板８が使用可能となっており、この渡し板８は、左右の浴槽壁６間に掛け渡されて係止，保持され、もって浴槽３に配設される（図１，図３を参照）。
すなわち、渡し板８の一端部１１は、左右いずれか一方の浴槽壁６の上縁部に嵌合され、他端部１２は、形成された専用穴１０にて、他方の浴槽壁６の手摺５の垂下部７に嵌合される。
【００３０】
（５）そこで、高齢者や身体障害者Ａは、このように浴槽３に配設された介護装置１の渡し板８を、前述した手摺５と共に使用することにより、更に容易に入浴可能となる。
すなわち、手摺５に捉まると共に、渡し板８に途中で腰掛けることにより（図１の（３）図，図３の（３）図を参照）、浴槽３内中心位置への前後移動、浴槽３内への跨ぎ込み、浴槽３外への跨ぎ出、浴槽３内でのしゃがみ込み、浴槽３内での立ち上がり、等々の各入浴動作が一段と容易化される。
【００３１】
（６）さてそこで、本発明の介護装置１によると、次の第１，第２，第３，第４のようになる。
第１に、この介護装置１の手摺５は、垂下部７を、浴槽６の縦取付孔４に嵌挿，係止することにより、浴槽３に配設される。渡し板８は、浴槽壁６間に掛け渡して係止，保持することにより、浴槽３に配設される。
そこで、健常者や身体機能低下度・障害度・介護度の低い人、例えば家族や介護者が、このように配設される手摺５や渡し板８を使用しないで、その浴槽３に入浴する場合は、手摺５や渡し板８を適宜取外すことにより、その浴槽３を通常の浴槽３として使用可能である。
すなわち手摺５は、その垂下部７の縦取付孔４への嵌挿，係止を、持ち上げて解くことにより、容易に除去可能である。渡し板８も、一端部１１と他端部１２つまり両端部の浴槽壁６間への嵌合，係止，保持を、持ち上げて解くことにより、容易に除去可能である。
この介護装置１は、このように、手摺５や渡し板８を取外して除去することにより、健常者等の入浴の邪魔にならず、入浴行動を阻害することもなく、視覚的違和感を与えることもない。
なお、健常者等の入浴に際し、手摺５や渡し板８を取外すことなく、そのまま使用することも随時可能であり、その場合、手摺５は健常者等の入浴補助用として、渡し板８は飲食物その他の置き台としても使用可能である。
【００３２】
第２に、介護装置１を使用して入浴する高齢者や身体障害者Ａは、各個人毎にそれぞれ、その身体機能低下度・障害度・介護度が高低様々であり、その態様も様々である。例え同一個人の場合でも、高齢者や身体障害者Ａの場合は、年月の経過と共に身体機能の低下が進行することも多い。
そこでこの介護装置１は、このような高齢者や身体障害者Ａ各人の身体状況，障害程度に対応したした形状，方向，位置にて、使い分け可能となっており、高齢者や身体障害者Ａ各人の身体機能低下度・障害度・介護度に、個別に十分対応可能である。
すなわち、高齢者や身体障害者Ａ各人の身体状況，障害程度に合わせて、まずａ．手摺５については、予め準備された各種形状のものの中から（例えば、図４の（１）図，（２）図，（３）図を参照）、最適な形状のものを選択使用可能である。
そしてｂ．選択された手摺５を、浴槽３の左右浴槽壁６に沿って（前後方向，長手方向に）位置させることが可能であると共に（図１等を参照）、ｃ．左右浴槽壁６間にクロスした方向に（左右方向に）位置させたり（図２等を参照）することも可能である。そしてｄ．渡し板８を併用（図１，図３を参照）可能である。
これらのａ．ｂ．ｃ．ｄ．の組合せパターンにより、この介護装置１は、各人毎に異なった身体機能低下度・障害度・介護度に、自在かつ個別に十分対応可能である。更に、入浴装置１３を配設した場合は（図５，図６を参照）、自力入浴不可能な程度の高齢者や身体障害者Ａも入浴可能となり、対応可能な身体状況，障害程度の幅が一段と広がる。
【００３３】
第３に、もってこの介護装置１付の浴槽３は、１台で、幅広く使用可能である。すなわち、上述した第１の点のように、健常者等が、介護装置１を使用しないで入浴する場合、邪魔にならず違和感を与えることもない。これと共に、上述した第２の点のように、高齢者や身体障害者Ａ各人毎の身体状況，障害程度に、自在かつ個別に十分対応可能である。
そこで、この介護装置１付の浴槽３は、１台で、健常者等から各種の高齢者や身体障害者Ａまで、幅広く使用可能である。
もって、高齢者や身体障害者Ａを擁する家庭や介護施設において、高齢者や身体障害者Ａ用の介護装置１付の浴槽３と共に、健常者等用の通常の浴槽３を、別途準備，設置，併用する必要がなくなる。
又、高齢者や身体障害者Ａの身体状況，障害程度に応じ、それぞれ専用の介護装置１付の浴槽３、つまりそれぞれ異なった形状，方向，位置の介護装置１付の浴槽３を、複数台準備，設置，併用する必要もなくなる。
【００３４】
第４に、この介護装置１は、浴槽３へ配設作業が、簡単容易かつ確実である。すなわち、この介護装置１の手摺５は、垂下部７を、浴槽壁６に形成された縦取付孔４に対して、嵌挿，係止することにより、つまり簡単容易な設置作業により、前後左右に不動かつ確実に、浴槽３に配設される。
そして、この介護装置１の渡し板８は、その一端部１１を、一方の浴槽壁６の上縁部に嵌合すると共に、他端部１２を、その専用穴１０にて、他方の浴槽壁６の手摺５の垂下部７に嵌合させることにより、左右の浴槽壁６間に掛け渡され，係止，保持される。
このように渡し板８は、簡単容易な設置作業により、前後左右に不動かつ確実に、浴槽３に配設される。
【図面の簡単な説明】
【００３５】
【図１】本発明に係る介護装置について、発明を実施するための最良の形態の説明に供し、第１例を示し、（１）図は平面図、（２）図は側面図、（３）図は正面図である。
【図２】同発明を実施するための最良の形態の説明に供し、渡し板が取外された第２例を示し、（１）図は平面図、（２）図は側面図、（３）図は正面図である。
【図３】同発明を実施するための最良の形態の説明に供し、第３例を示し、（１）図は平面図、（２）図は側面図、（３）図は正面図である。
【図４】同発明を実施するための最良の形態の説明に供し、（１）図，（２）図，（３）図は、手摺の各種例の正面図であり、（４）図は、浴槽の側断面図である。
【図５】同発明を実施するための最良の形態の説明に供し、入浴装置を設けた例を示し、（１）図は、浴槽外側，降下位置での側面図、（２）図は、浴槽外側，上昇位置での側面図である。
【図６】同発明を実施するための最良の形態の説明に供し、入浴装置を設けた例を示し、（１）図は、浴槽外側，浴槽内側位置での平面図、（２）図は、浴槽内側，降下位置での入浴時の正面図である。
【符号の説明】
【００３６】
１  介護装置
２  浴室
３  浴槽
４  縦取付孔
５  手摺
６  浴槽壁
７  垂下部
８  渡し板
９  本体部
１０  専用穴
１１  一端部
１２  他端部
１３  入浴装置
１４  マスト部
１５  アーム部
１６  椅子部
１７  ケース
１８  浴槽壁
Ａ  高齢者や身体障害者
Ｂ  前後間隔
Ｃ  左右対向間隔
Ｄ  一定間隔
【図１】
0004684818.tif 000002
【図２】
0004684818.tif 000003
【図３】
0004684818.tif 000004
【図４】
0004684818.tif 000005
【図５】
0004684818.tif 000006
【図６】
0004684818.tif 000007